【事件の表示】
　特願２００５−２９１４９６「印刷機の印刷ユニット及び印刷ユニットの版胴において印刷版交換を実施するための方法」拒絶査定不服審判事件〔平成１８年　４月２０日出願公開、特開２００６−１０３３３１〕について、次のとおり審決する。
【結　論】
　本件審判の請求は、成り立たない。
【理　由】
　
１．手続の経緯・本願発明
　本願は、平成１７年１０月４日（パリ条約による優先権主張２００４年１０月５日、ドイツ）の出願であって、平成２１年７月６日付けで拒絶査定がなされ、これに対して同年１０月２９日に拒絶査定不服審判が請求されると同時に特許請求の範囲について手続補正がなされたものである。
　さらに、審査官により作成された前置報告書について審尋がなされたところ、審判請求人から平成２２年８月１０日付けで回答書が提出されたものである。
　平成２１年１０月２９日付けの手続補正は、請求項１の記載において、補正前の請求項２の記載を繰り入れて、該補正前の請求項２を削除するとともに、補正前の請求項４に補正前の請求項５の記載を繰り入れて新たな請求項３として、該補正前の請求項５を削除し、それに伴い補正前の請求項６を新たな請求項４としたものであるから、この手続補正は、平成１８年法律第５５号改正附則第３条第１項によりなお従前の例によるとされる同法による平成１８年改正前特許法第１７条の２第４項第１号に規定される「請求項の削除」を目的とする適法な補正と認める。
　
　本願の請求項１ないし４に係る発明は、平成２１年１０月２９日付けで補正された特許請求の範囲の請求項１ないし４に記載されたものと認められるところ、その請求項１に係る発明（以下「本願発明」という。）は、次のとおりのものである。
　
「　印刷機の印刷ユニットであって、少なくとも１つの印刷機構（１１，１２）が設けられており、該印刷機構又は各印刷機構が、少なくとも１つの版胴（１５，１６）、転写胴（１３，１４）及びインキ機構を有しており、前記印刷機構又は各印刷機構（１１，１２）の版胴（１５，１６）にそれぞれ少なくとも１つの印刷版が張設可能であり、版胴において印刷版交換を実施するために各版胴（１５，１６）が、駆動装置（１７）によって印刷版交換の実施、特に印刷版の把持若しくは捕捉、に適した位置若しくは角度位置に回動可能であり、かつ駆動装置（１７）に、版胴を印刷版交換に適した位置若しくは角度位置に回動させるための調節信号が、調整装置若しくは制御装置（２３）によって予め設定可能である形式のものにおいて、
　調整装置若しくは制御装置（２３）に、各版胴（１５，１６）の周見当値が入力値（２９，３０）として供給可能であり、調整装置若しくは制御装置（２３）が、駆動装置（１７）のための及びひいては版胴（１５；１６）を印刷版交換に適した位置若しくは角度位置に回動させるための前記調節信号（２４）を、周見当値に依存して求めるようになっており、
　調整装置若しくは制御装置（２３）が、まず、周見当値とは無関係の中間調節信号を求め、該中間調節信号が、周見当値を計算に入れて算出されるようになっていることを特徴とする、印刷機の印刷ユニット。」
　
２．引用された刊行物記載の発明
（刊行物１について）
　これに対して、原査定の拒絶の理由に引用文献１として引用され、本願の優先権主張の日前に頒布された、実願平５−２６２９９号（実開平６−８３３４３号）のＣＤ−ＲＯＭ（以下「刊行物１」という。）には、次の事項が記載されている（下線は審決で付した。以下同じ。）。
　
　
（１−ａ）「【実用新案登録請求の範囲】
【請求項１】  
枚葉印刷機の版胴、版胴ギヤあるいは版胴ギヤに噛み合っている歯車列から版胴の天地方向の位相を検出するセンサーを設け、前記センサーの出力信号により刷版交換の動作タイミングを制御するように構成した
自動刷版交換装置における動作タイミングの修正装置
　　
（１−ｂ）「【０００１】
　　【産業上の利用分野】
　本考案は枚葉印刷機の版胴に取り付けられた刷版を取り替える自動刷版交換装置に関する。
【０００２】
　　【従来の技術】
　図３に枚葉印刷機の印刷ユニットの圧胴１０、ブランケット胴９及び版胴８のあらかじめ設定された版はずし時における位相を示す。
　図３において、１３は印刷用紙（以下紙と言う）を咬える爪、５は紙、６は自動刷版交換装置、７は刷版、１１は受け渡し胴、１６ａは咬え側版万力、１６ｂは尻側版万力を示す。
【０００３】
　
自動刷版交換において、既に版胴８に装着されている刷版７を取りはずす為に、版胴８の尻側版万力１６ｂが刷版を取りはずし得る所定の位置ｐにくるように版胴８を回転させ停止させなければならない
【０００４】
　
自動刷版交換装置６による刷版７の取りはずし、取り付けは、前述のように、まず版胴８を回転させて、尻側及び咬え側の版万力１６ａ及び１６ｂを所定の位置迄回転させ停止させた後に行なわれなければならない
自動版交換装置６の動作タイミング、すなわち版万力１６ａ及び１６ｂが所定の位置迄回転し、停止したと言う信号を自動刷版交換装置６に送る為、図２に示すように排紙胴１２の軸端に固設された軸１７に固定して取り付けられたカップリング１８を介してロータリーエンコーダ１９が設けられている
【０００５】
　一方、
絵柄始まり位置を変えるなど版胴８の回転方向の位相をブランケット胴９の回転位相に対して変位させる場合には、ブランケット胴９を固定して版胴８を所要の寸法分だけ回動させる
自動刷版交換装置７の動作タイミングもずれることとなる
【０００６】
　従って、
版胴８とブランケット胴９との位相変位量に応じてロータリーエンコーダ１９の出力信号も変えてやらなければならない
操作は版胴８の回転方向の位相を変える都度行なわなければならない
　　
（１−ｃ）「【００１２】
　　【実施例】
　本考案による自動刷版交換装置における動作タイミングの修正装置を図１について説明する。
　版胴８に設けられたインキ駆動歯車２１により中間歯車２２を経てインキローラの歯車２３及びロータリーエンコーダ２５をその軸に取り付けた歯車２４が回転する。
【００１３】
　よって
版胴８の回転方向の位相を変える時、版胴８をブランケット胴７（図３を参照）に対して回動させると、この回転方向の位相変位をロータリーエンコーダ２５が検出する
　版胴８の回動は、ブランケット胴７（図３を参照）、排紙胴１２（図２を参照）などの版胴８以外の胴は固定して、天地方向の見当合せ装置にて版胴８のはすば歯車（共に図示せず）を天地方向に回動させて行うので、版胴８のみ回動し、その他の胴は回動しない。版胴８の回動前の位相は、排紙胴１２に取り付けられたロータリーエンコーダ１９（共に図２に図示）にて検出されているので、この位相とロータリーエンコーダ２５にて検出された版胴８の回動後の位相を自動刷版交換装置の制御装置（図示せず）に送って比較させ、
自動刷版交換装置の動作タイミングを版胴８の位相の変位量に応じて自動的に修正する
　　
（１−ｄ）図１として、
「
」
　
（１−ｅ）図３として、
「
」
　
　上記摘記事項（１−ｂ）の「
絵柄始まり位置を変えるなど版胴８の回転方向の位相をブランケット胴９の回転位相に対して変位させる場合には、ブランケット胴９を固定して版胴８を所要の寸法分だけ回動させる
　
　以上の事項を総合すると、刊行物１には、次の発明（以下「刊行物１発明」という。）が開示されていると認められる。
　
「枚葉印刷機の版胴、版胴ギヤあるいは版胴ギヤに噛み合っている歯車列から版胴の天地方向の位相を検出するセンサーを設け、前記センサーの出力信号により刷版交換の動作タイミングを制御するように構成し、
　周見当合わせを行う場合には、ブランケット胴を固定して版胴を所要の寸法分だけ回動させるとともに、動作タイミングを版胴の位相の変位量に応じて自動的に修正する、
　自動刷版交換装置における動作タイミングの修正装置。」
　
３．対比
　本願発明と刊行物１発明とを対比する。
　
（１）刊行物１発明の
「枚葉印刷機」、
「版胴」、
「ブランケット胴」、
「刷版」は、それぞれ、
　本願発明の
「印刷機」、
「版胴（１５，１６）」、
「転写胴（１３，１４）」、
「印刷版」に相当する。
　
（２）刊行物１発明は、「『刷版交換の動作タイミングを制御するように構成』され、『周見当合わせを行う場合には、ブランケット胴を固定して版胴を所要の寸法分だけ回動させるとともに、動作タイミングを版胴の位相の変位量に応じて自動的に修正する』」のであるから、「駆動装置によって印刷版交換の実施、特に印刷版の把持若しくは捕捉、に適した位置若しくは角度位置に回動可能であり、かつ駆動装置に、版胴を印刷版交換に適した位置若しくは角度位置に回動させるための調節信号が、調整装置若しくは制御装置によって予め設定可能である」といえる。
　また、「枚葉印刷機」（印刷機）が「インキ機構」を備えることは、当然の事項である。
　してみると、刊行物１発明が、本願発明の「印刷機の印刷ユニットであって、少なくとも１つの印刷機構が設けられており、該印刷機構又は各印刷機構が、少なくとも１つの版胴、転写胴及びインキ機構を有しており、前記印刷機構又は各印刷機構の版胴にそれぞれ少なくとも１つの印刷版が張設可能であり、版胴において印刷版交換を実施するために各版胴が、駆動装置によって印刷版交換の実施、特に印刷版の把持若しくは捕捉、に適した位置若しくは角度位置に回動可能であり、かつ駆動装置に、版胴を印刷版交換に適した位置若しくは角度位置に回動させるための調節信号が、調整装置若しくは制御装置によって予め設定可能である形式のもの」に用いられることは、明らかである。
　
（３）刊行物１発明の「（刷版交換の動作タイミングを制御するように構成され、）周見当合わせを行う場合には、ブランケット胴を固定して版胴を所要の寸法分だけ回動させるとともに、動作タイミングを版胴の位相の変位量に応じて自動的に修正する」構成において、周見当合わせを行った結果に応じて、刷版交換の動作タイミング、すなわち、印刷版交換に適した角度位置での回動が制御されるのであるから、周見当値を計算に入れて角度位置での回動が制御されているといえる。
　したがって、刊行物１発明の「周見当合わせを行う場合には、ブランケット胴を固定して版胴を所要の寸法分だけ回動させるとともに、動作タイミングを版胴の位相の変位量に応じて自動的に修正する」構成と、
　本願発明の「調整装置若しくは制御装置（２３）に、各版胴（１５，１６）の周見当値が入力値（２９，３０）として供給可能であり、調整装置若しくは制御装置（２３）が、駆動装置（１７）のための及びひいては版胴（１５；１６）を印刷版交換に適した位置若しくは角度位置に回動させるための前記調節信号（２４）を、周見当値に依存して求めるようになっており、
　調整装置若しくは制御装置（２３）が、まず、周見当値とは無関係の中間調節信号を求め、該中間調節信号が、周見当値を計算に入れて算出されるようになっている」とは、
「印刷版交換に適した位置若しくは角度位置への回動が、周見当値に依存して制御される」構成で一致する。
　
（４）刊行物１発明の「『枚葉印刷機の版胴、版胴ギヤあるいは版胴ギヤに噛み合っている歯車列から版胴の天地方向の位相を検出するセンサーを設け、前記センサーの出力信号により刷版交換の動作タイミングを制御するように構成』された、『自動刷版交換装置における動作タイミングの修正装置』」と、本願発明の「印刷機の印刷ユニット」とは、「版胴を印刷版交換に適した位置若しくは角度位置に回動させるための制御を行う装置」で一致する。
　
（５）上記（１）〜（４）から、
　本願発明と、刊行物１発明とは、
「印刷版交換に適した位置若しくは角度位置への回動が、周見当値に依存して制御される、版胴を印刷版交換に適した位置若しくは角度位置に回動させるための制御を行う装置。」
の点で一致し、下記の点で相違する。
　
［相違点１］：
「印刷版交換に適した位置若しくは角度位置への回動が、周見当値に依存して制御される」構成に関して、
　本願発明は、「調整装置若しくは制御装置（２３）に、各版胴（１５，１６）の周見当値が入力値（２９，３０）として供給可能であり、調整装置若しくは制御装置（２３）が、駆動装置（１７）のための及びひいては版胴（１５；１６）を印刷版交換に適した位置若しくは角度位置に回動させるための前記調節信号（２４）を、周見当値に依存して求めるようになっており、
　調整装置若しくは制御装置（２３）が、まず、周見当値とは無関係の中間調節信号を求め、該中間調節信号が、周見当値を計算に入れて算出されるようになっている」のに対し、
　刊行物１発明では、「周見当合わせを行う場合には、ブランケット胴を固定して版胴を所要の寸法分だけ回動させるとともに、動作タイミングを版胴の位相の変位量に応じて自動的に修正する」ものである点。
　
［相違点２］：
「版胴を印刷版交換に適した位置若しくは角度位置に回動させるための制御を行う装置」に関して、
　本願発明は、「『印刷機の印刷ユニットであって、少なくとも１つの印刷機構が設けられており、該印刷機構又は各印刷機構が、少なくとも１つの版胴、転写胴及びインキ機構を有しており、前記印刷機構又は各印刷機構の版胴にそれぞれ少なくとも１つの印刷版が張設可能であり、版胴において印刷版交換を実施するために各版胴が、駆動装置によって印刷版交換の実施、特に印刷版の把持若しくは捕捉、に適した位置若しくは角度位置に回動可能であり、かつ駆動装置に、版胴を印刷版交換に適した位置若しくは角度位置に回動させるための調節信号が、調整装置若しくは制御装置によって予め設定可能である形式のもの』である『印刷機の印刷ユニット』」であるのに対し、
　刊行物１発明は、「『印刷機の印刷ユニットであって、少なくとも１つの印刷機構が設けられており、該印刷機構又は各印刷機構が、少なくとも１つの版胴、転写胴及びインキ機構を有しており、前記印刷機構又は各印刷機構の版胴にそれぞれ少なくとも１つの印刷版が張設可能であり、版胴において印刷版交換を実施するために各版胴が、駆動装置によって印刷版交換の実施、特に印刷版の把持若しくは捕捉、に適した位置若しくは角度位置に回動可能であり、かつ駆動装置に、版胴を印刷版交換に適した位置若しくは角度位置に回動させるための調節信号が、調整装置若しくは制御装置によって予め設定可能である形式のもの』に用いられる、『枚葉印刷機の版胴、版胴ギヤあるいは版胴ギヤに噛み合っている歯車列から版胴の天地方向の位相を検出するセンサーを設け、前記センサーの出力信号により刷版交換の動作タイミングを制御するように構成』された、『自動刷版交換装置における動作タイミングの修正装置』」である点。
　
４．当審の判断
　上記相違点１ないし２について検討する。 
（１）相違点１について 
ア　まず、本願発明の「「調整装置若しくは制御装置（２３）に、各版胴（１５，１６）の周見当値が入力値（２９，３０）として供給可能であり、調整装置若しくは制御装置（２３）が、駆動装置（１７）のための及びひいては版胴（１５；１６）を印刷版交換に適した位置若しくは角度位置に回動させるための前記調節信号（２４）を、周見当値に依存して求めるようになっており、
　調整装置若しくは制御装置（２３）が、まず、周見当値とは無関係の中間調節信号を求め、該中間調節信号が、周見当値を計算に入れて算出されるようになっている」構成に関して、本願明細書を参照すると、以下の記載がある。
『
各版胴を印刷版交換に適した位置若しくは角度位置に回動させるために、駆動装置１７に対する調節信号２４を求めるには
例えば、制御装置２３が周見当値とは無関係に、各版胴の、印刷版交換に必要とされる＋１０°の角度位置を予め設定し、かつ該版胴に関する周見当値が＋４°である場合には、駆動モータ１７には、＋６°の版胴に関する角度位置に相当する調節信号２４が提供される
　 
イ　上記アを踏まえれば、「周見当値とは無関係の中間調節信号を求め、該中間調節信号が、周見当値を計算に入れて算出される」とは、まず「印刷版交換に必要とされる＋１０°の角度位置」を設定し、つぎに「周見当値である＋４°」を減算するものである。
　 
ウ　一方、刊行物１発明の「周見当合わせを行う場合には、ブランケット胴を固定して版胴を所要の寸法分だけ回動させるとともに、動作タイミングを版胴の位相の変位量に応じて自動的に修正する」との構成においても、印刷版交換に必要な角度位置は当然予め決まっており、版胴の回転方向の位相により回動量を調整するものであるから、印刷版交換に適した位置若しくは角度位置に回動させるために、周見当値分を減算して制御を行っていることは明らかである。
　
エ　上記イ及びウから、相違点１は、実質的な相違点ではない。
　 
（２）相違点２について 
ア　本願発明の「（『印刷機の印刷ユニットであって、少なくとも１つの印刷機構が設けられており、該印刷機構又は各印刷機構が、少なくとも１つの版胴、転写胴及びインキ機構を有しており、前記印刷機構又は各印刷機構の版胴にそれぞれ少なくとも１つの印刷版が張設可能であり、版胴において印刷版交換を実施するために各版胴が、駆動装置によって印刷版交換の実施、特に印刷版の把持若しくは捕捉、に適した位置若しくは角度位置に回動可能であり、かつ駆動装置に、版胴を印刷版交換に適した位置若しくは角度位置に回動させるための調節信号が、調整装置若しくは制御装置によって予め設定可能である形式のもの』である）印刷機の印刷ユニット」と、
　刊行物１発明の「（『印刷機の印刷ユニットであって、少なくとも１つの印刷機構が設けられており、該印刷機構又は各印刷機構が、少なくとも１つの版胴、転写胴及びインキ機構を有しており、前記印刷機構又は各印刷機構の版胴にそれぞれ少なくとも１つの印刷版が張設可能であり、版胴において印刷版交換を実施するために各版胴が、駆動装置によって印刷版交換の実施、特に印刷版の把持若しくは捕捉、に適した位置若しくは角度位置に回動可能であり、かつ駆動装置に、版胴を印刷版交換に適した位置若しくは角度位置に回動させるための調節信号が、調整装置若しくは制御装置によって予め設定可能である形式のもの』に用いられる）『枚葉印刷機の版胴、版胴ギヤあるいは版胴ギヤに噛み合っている歯車列から版胴の天地方向の位相を検出するセンサーを設け、前記センサーの出力信号により刷版交換の動作タイミングを制御するように構成』された、『自動刷版交換装置における動作タイミングの修正装置』」とは、
ともに「版胴を印刷版交換に適した位置若しくは角度位置に回動させるための制御を行う装置」という、共通の技術分野に属するものであるから、
「『枚葉印刷機の版胴、版胴ギヤあるいは版胴ギヤに噛み合っている歯車列から版胴の天地方向の位相を検出するセンサーを設け、前記センサーの出力信号により刷版交換の動作タイミングを制御するように構成』された、『自動刷版交換装置における動作タイミングの修正装置』」に係る構成を、「印刷機の印刷ユニット」に適用する程度のことは、当業者が適宜なし得たことである。 
　 
イ　したがって、刊行物１発明において、相違点２に係る構成となすことは、当業者が適宜なし得たことである。 
　 
（３）請求人の主張について 
ア　請求人は、審判請求書及び回答書において、下記のとおり主張している。
　
『これにより、請求項１発明では、周見当値に依存しない中間調節信号と周見当値との差が調節信号として算出され、版胴が調節信号に基づいて回動される。そうすると、中間調節信号は任意に定めることができるので、版胴の周見当値のみを入力値として、版胴を印刷版交換に適した位置又は角度位置に回動させることができます。従って、
請求項１発明では、単一のセンサが必要とされるにすぎない
　一方、引用発明１では、版胴の天地方向（回転方向）位相をブランケット胴の位相に対して所用の寸法分だけ回転させた時、版胴、版胴ギヤ、又は版胴ギヤに噛み合っている歯車列も版胴の回動に応じて回動する。この場合、版胴、版胴ギヤ、又は版胴ギヤに噛み合っている歯車列に設けられたセンサが、版胴の回動、すなわち版胴の位相変化量を検出する。そして、位相変化量の信号を印刷版交換装置に送り、その後に、排紙胴部に取り付けられたロータリエンコーダによって検出された、位相変更前における版胴の位相の信号と、前記位相変化量の信号とを比較することによって、印刷版交換装置の動作タイミングが自動的に修正される。 
　そうすると、
引用発明１では、印刷版交換装置を制御するために、版胴、版胴ギヤ、又は版胴ギヤに噛み合っている歯車列に設けられたセンサの信号と、排紙胴部に取り付けられたロータリエンコーダの信号とが必要となる
　従って、
必要とされるセンサの数量において、請求項１発明は引用発明１と相違する
引用文献１では、歯車や胴を介してセンサが取り付けられているので、歯車のバックラッシ等の影響によって位相ずれが生じ、正確に位相を調整することができない
　
『
本願発明では、上述の主たる特徴によって、周見当値に依存しない中間調節信号と周見当値との差が調節信号として算出され、版胴が調節信号に基づいて回動されます
中間調節信号は任意に定めることができるので、版胴の周見当値のみを入力値として、版胴を印刷版交換に適した位置又は角度位置に回動させることができます
  　一方、引用発明１では、版胴の天地方向（回転方向）位相をブランケット胴の位相に対して所用の寸法分だけ回転させた時、版胴、版胴ギヤ、又は版胴ギヤに噛み合っている歯車列も版胴の回動に応じて回動します。この場合、版胴、版胴ギヤ、又は版胴ギヤに噛み合っている歯車列に設けられたセンサが、版胴の回動、すなわち版胴の位相変化量を検出します。そして、位相変化量の信号を印刷版交換装置に送り、その後に、排紙胴部に取り付けられたロータリエンコーダによって検出された、位相変更前における版胴の位相の信号と、前記位相変化量の信号とを比較することによって、印刷版交換装置の動作タイミングが自動的に修正されます。そうしますと、引用発明１では、印刷版交換装置を制御するために、版胴、版胴ギヤ、又は版胴ギヤに噛み合っている歯車列に設けられたセンサの信号と、排紙胴部に取り付けられたロータリエンコーダの信号とが必要となります。 
　従いまして、
必要とされるセンサの数量及びセンサが設けられている位置（すなわち発明装置の構成）において、請求項１発明は引用発明１と相違します
　また、引用発明１では、歯車や胴を介してセンサが取り付けられているので、歯車のバックラッシ等の影響によって位相ずれが生じ、正確に位相を調整することができません。なぜならば、引用発明１では、ロータリエンコーダ２５を備えているロータリエンコーダ歯車２４が、版胴８の位相を検出するために、インキローラの歯車２３を介して版胴８に係合しています。そうしますと、ロータリエンコーダ２５が検出する入力信号は、例えば版胴８とインキローラの歯車２３との間におけるバックラッシのような誤差を必然的に含んでしまうからです。 
　一方、本願発明では、調整装置若しくは制御装置（２３）によって、調節信号が駆動装置（１７）に予め設定可能です。入力信号（２９，３０）は、転写胴（１３，１４）及び版胴（１５，１６）を駆動するための駆動装置（２５〜２８）から調整装置若しくは制御装置（２３）に直接伝達されます。そうしますと、本願発明では、引用発明１のように、バックラッシ等に起因する誤差が発生しないので、引用発明１よりも高精度に正確に版胴の位相を測定し調整することができます。 
　従いまして、
本願発明は、引用発明１よりも少ない数のセンサ（ロータリエンコーダ）を用いて引用発明１よりも高精度の位相測定が可能である
　 
イ　請求人は、『必要とされるセンサの数量において、請求項１発明は引用発明１と相違する。』と主張するが、請求項１の記載において、センサについての特定はないから、上記主張は請求項の記載に基づかない主張である。
　 
ウ　また、『
周見当値に依存しない中間調節信号と周見当値との差が調節信号として算出され、版胴が調節信号に基づいて回動されます
中間調節信号は任意に定めることができる
各版胴を印刷版交換に適した位置若しくは角度位置に回動させるために、駆動装置１７に対する調節信号２４を求めるには
例えば、制御装置２３が周見当値とは無関係に、各版胴の、印刷版交換に必要とされる＋１０°の角度位置を予め設定し、かつ該版胴に関する周見当値が＋４°である場合には、駆動モータ１７には、＋６°の版胴に関する角度位置に相当する調節信号２４が提供される
　
エ　『本願発明では、引用発明１のように、バックラッシ等に起因する誤差が発生しない』とも主張するが、本願発明においても、何らかの手段で版胴の角度位置を検出しているはずであるから、誤差が全く発生しないとはいえない。
　 
オ　上記イないしエのとおり、請求人の上記アの主張は採用できない。
　　 
（４）本願発明が奏する効果について 
　本願発明の効果は、刊行物１に記載された事項から予測し得る程度のものであって、格別のものではない。 
　 
（５）まとめ 
　以上のとおり、本願発明は、当業者が刊行物１に記載された発明に基づいて、容易に発明をすることができたものである。 
　 
５．むすび 
　以上のとおり、本願の請求項１に係る発明は、当業者が刊行物１に記載の発明に基づいて容易に発明をすることができたものであるから、特許法第２９条第２項の規定により特許を受けることができない。 
　したがって、本願のその他の請求項に係る発明について検討するまでもなく、本願は拒絶すべきものである。
　なお、請求人から、平成２２年１１月１２日付けで審理の進行を２年程度見合わせてほしい旨の上申書が提出されているが、平成２２年８月１０日付けの回答書が提出された時点で請求人の審判手続継続の意志が確認され、上申書提出前に審理が開始されており、かつ、実施庁目標において審理の迅速化が掲げられている状況下での審理の繰り延べは妥当ではないため、請求人の上記要望に応じることはできない。
　 
　よって、結論のとおり審決する。